(57)【要約】【課題】安全性を向上させることができ、取り外しが容易で、かつ、見た目も可愛らしい画鋲を提供する。【解決手段】画鋲１０は、内部に収納部１１Ａが形成された収納体１１と、収納体１１に対して回転可能に配設された回転体１２と、回転体１２を収納体１１に対して相対的に回転させることにより、収納部１１から突出し又は収納部１１に収納される針体１３とを備える。収納部１１Ａの内周面には螺旋状の溝が形成されている。針体１３は、針部１３Ａと、針部１３Ａの一端側に一端側が配設され、他端側が回転体１２に対して配設された螺旋状のばね体１３Ｂとを有している。【選択図】図２
0003184076.tif 000002
【実用新案登録請求の範囲】
【請求項１】
内部に収納部が形成された収納体と、
この収納体に対して回転可能に配設された回転体と、
前記回転体を前記収納体に対して相対的に回転させることにより、前記収納部から突出し又は前記収納部に収納される針体と
を備えたことを特徴とする画鋲。
【請求項２】
前記針体は、針部と、この針部の一端側に一端側が配設され、他端側が前記回転体に対して配設された螺旋状のばね体とを有し、
前記収納部の内周面には、螺旋状に溝が形成されており、前記回転体を相対的に回転させることにより、前記ばね体が前記溝を移動して、前記針部が移動する
ことを特徴とする請求項１記載の画鋲。
【請求項３】
前記針体は、針部と、針部の一端側に配設され、外周面に螺旋状の凹凸部が形成された移動部と、この移動部に一端側が配設され、他端側が前記回転体に対して配設された螺旋状のばね体とを有し、
前記収納部の内周面には、螺旋状の凹凸部が形成されており、
前記回転体を相対的に回転させることにより、前記回転体の回転が前記ばね体を介して前記移動部に伝わり、前記移動部が前記収納部の凹凸部に沿って移動することにより、前記針部が移動する
ことを特徴とする請求項１記載の画鋲。
【請求項４】
前記針体は、針部と、針部の一端側に配設され、外周面に螺旋状の凹凸部が形成された移動部と、一端部が前記回転体に配設されると共に、他端部が前記移動部に設けられた貫通孔を移動可能に貫通して前記回転体と反対側に伸長され、前記回転体の回転を前記移動部に伝達するための複数の棒状部材とを有し、
前記収納部の内周面には、螺旋状の凹凸部が形成されており、
前記回転体を相対的に回転させることにより、前記回転体の回転が前記棒状部材を介して前記移動部に伝わり、前記移動部が前記収納部の凹凸部に沿って移動することにより、前記針部が移動する
ことを特徴とする請求項１記載の画鋲。
【考案の詳細な説明】
【技術分野】
【０００１】
本考案は、針を収納体の内部に収納することができる画鋲に関する。
【背景技術】
【０００２】
従来より、壁などに掲示物を固定する際に画鋲が広く用いられている。一般に、画鋲は、押圧部に針が設けられた構成を有しており、常時は針の先端が露出した状態となってる。そのため、取り扱う際に、針の先端が不用意に指先に突き刺さったり、引っ掛かることがあり、怪我をする虞れがあるという問題があった。また、従来の画鋲は押圧部が小さく、指先でつまみ難い構造のものが多いので、画鋲を刺した後に取り外すのが難しく、大変であるという問題もあった。更に、従来の画鋲は、機能を重視したものが多く、かわいらしさや楽しさを備えたものがなかった。
【先行技術文献】
【特許文献】
【０００３】
【特許文献１】特開２００４−１５８０号公報
【考案の概要】
【考案が解決しようとする課題】
【０００４】
本考案は、このような問題に基づきなされたものであり、安全性を向上させることができ、取り外しが容易で、かつ、見た目も可愛らしい画鋲を提供することを目的とする。
【０００５】
なお、特許文献１には、針の先端側をカバーするカバー部材を設けた画鋲が記載されていえるが、本考案とは構成が全くことなっている。
【課題を解決するための手段】
【０００６】
本考案の画鋲は、内部に収納部が形成された収納体と、この収納体に対して回転可能に配設された回転体と、回転体を収納体に対して相対的に回転させることにより、収納部から突出し又は収納部に収納される針体とを備えたものである。
【考案の効果】
【０００７】
本考案の画鋲によれば、回転体を相対的に回転させることにより、針体が収納部から突出し、又は、収納部に収納されるようにしたので、使用しないときには、針体を収納部に収納することができる。よって、針体により怪我をする機会を減少させることができ、安全性を向上させることができると共に、保管・収納も容易とすることができる。また、収納体と回転体とを備えるようにしたので、針体以外の部分の大きさが大きく、指で容易につまむことができる。よって、指で挟んで容易に取り外しをすることができる。更に、大きさが大きいので、落としたときに容易に見つけることができる。加えて、収納体と回転体の外観を雪だるまなどの各種形にデザインすることにより、見た目を可愛らしく楽しくすることができる。
【図面の簡単な説明】
【０００８】
【図１】本考案の第１の実施の形態に係る画鋲の外観構成を表す図である。
【図２】図１に示した画鋲の内部構造を表す部分断面図である。
【図３】図１に示した画鋲の動作を説明するための断面図である。
【図４】本考案の第２の実施の形態に係る画鋲の内部構造を表す部分断面図である。
【図５】図４に示した画鋲の動作を説明するための断面図である。
【図６】本考案の第３の実施の形態に係る画鋲の内部構造を表す部分断面図である。
【図７】図６に示した画鋲の動作を説明するための断面図である。
【考案を実施するための形態】
【０００９】
以下、本考案の実施の形態について、図面を参照して詳細に説明する。
【００１０】
（第１の実施の形態）
図１は、本考案の第１の実施の形態に係る画鋲１０の構成を表すものである。図２は、画鋲１０の内部構造を表すものである。図３は、画鋲１０の動作を説明するものである。この画鋲１０は、収納体１１と、回転体１２と、針体１３とを備えている。
【００１１】
収納体１１は、例えば、内部に円柱状の収納部１１Ａが形成されており、針体１３を収納することができるようになっている。収納部１１Ａの内周面には、例えば、螺旋状に溝１１Ｂが形成されている。収納部１１Ａの一方の端部には、内側に向かって突出された係止部１１Ｃが形成されている。回転体１２は、収納体１１に対して相対的に回転可能に配設されており、収納部１１Ａの係止部１１Ｃが形成された側に対応して配置されている。回転体１２は、例えば、収納体１１の外側に配置された把持部１２Ａと、この把持部１２Ａに一端部が配設され、他端部が収納部１１Ａに収納された中継器１２Ｂとを有している。把持部１２Ａの収納体１１の側には、例えば、中継器１２Ｂを配設するための配設穴が設けられており、把持部１２Ａと中継器１２Ｂとは接着剤で接合されている。中継器１２Ｂの他端部には、収納体１１の係止部１１Ｃに対して係止するように拡張された拡張部１２Ｃが形成されている。
【００１２】
収納体１１及び回転体１２の外観は、例えば、それぞれ球状又は楕円状とし、重ね合わせた状態が雪だるまとなるようにしてもよい。また、雪だるまに限らず、動物や人を二頭身でデザインし、収納体１１により体部分を構成し、回転体１２により頭部分を構成するようにしてもよい。更に、二頭身に限らず、雪だるまの頭にバケツをかぶせるなどしてもよい。加えて、収納体１１又は回転体１２の外周面に凸部を設けるようにすれば、転がりを防止することができるので好ましい。例えば、雪だるまの胴体部に凸状にボタンを付けたり、動物をデザインした場合には凸状に手を付けたりすることが挙げられる。
【００１３】
針体１３は、針部１３Ａと、この針部１３Ａの一端側に配設された螺旋状のばね体１３Ｂとを有している。ばね体１３Ｂは、一端側が針部１３Ａに配設され、他端側が回転体１２の収納部１１Ａの側に対して配設されている。針体１３は、例えば、回転体１２を収納体１１に対して相対的に回転させることにより、ばね体１３が収納部１１Ａの溝１１Ｂに沿って伸び縮みし、針部１３Ａが収納部１１Ａから突出し又は収納部１１Ａに収納されるようになっている。なお、ばね体１３の一端側は、例えば、針部１３Ａが収納部１１Ａの中央部に位置するように、内側に折り曲げられている。
【００１４】
この画鋲１０では、使用に際し、例えば、収納体１１を固定し、回転体１２を収納体１１に対して相対的に一方向に回転させる。これにより、ばね体１３Ｂが回転体１２の回転に従って回転し、ばね体１３Ｂの一端側、すなわち針部１３Ａの側が収納部１１Ａの溝１１Ｂに沿って回転体１２と反対側に向かって移動し、図３に示したように、ばね体１３Ｂが伸長して、針部１３Ａが収納部１１Ａから突出する。
【００１５】
使用しないときには、例えば、収納体１１を固定し、回転体１２を収納体１１に対して相対的に逆方向に回転させる。これにより、ばね体１３Ｂが回転体１２の回転に従って回転し、ばね体１３Ｂの一端側、すなわち針部１３Ａの側が収納部１１Ａの溝に沿って回転体１２に向かって移動し、図２に示したように、ばね体１３Ｂが収縮して、針部１３Ａが収納部１１Ａに収納される。
【００１６】
このように本実施の形態によれば、回転体１２を相対的に回転させることにより、針体１３が収納部１１Ａから突出し、又は、収納部１１Ａに収納されるようにしたので、使用しないときには、針体１３を収納部１１Ａに収納することができる。よって、針体１３により怪我をする機会を減少させることができ、安全性を向上させることができると共に、保管・収納も容易とすることができる。また、収納体１１と回転体１２とを備えるようにしたので、針体１３以外の部分の大きさが大きく、指で容易につまむことができる。よって、指で挟んで容易に取り外しをすることができる。更に、大きさが大きいので、落としたときに容易に見つけることができる。加えて、収納体１１と回転体１２の外観を雪だるまなどの各種形にデザインすることにより、見た目を可愛らしく楽しくすることもできる。
【００１７】
（第２の実施の形態）
図４は、本考案の第２の実施の形態に係る画鋲２０の構成を表すものである。図５は、画鋲２０の動作を説明するものである。この画鋲２０は、収納体２１と、回転体２２と、針体２３とを備えている。
【００１８】
収納体２１は、例えば、内部に円柱状の収納部２１Ａが形成されており、収納部２１Ａの内周面には、螺旋状の凹凸部２１Ｂが形成されている。収納部２１Ａの一方の端部には、内側に向かって突出された係止部２１Ｃが形成されている。回転体２２は、収納体２１に対して相対的に回転可能に配設されており、収納部２１Ａの係止部２１Ｃが形成された側に対応して配置されている。回転体２２は、例えば、収納体２１の外側に配置された把持部２２Ａと、この把持部２２Ａに一端部が配設され、他端部が収納部２１Ａに収納された中継器２２Ｂとを有している。把持部２２Ａの収納体２１の側には、例えば、中継器２２Ｂを配設するための配設穴が設けられており、把持部２２Ａと中継器２２Ｂとは接着剤で接合されている。中継器２２Ｂの他端部には、収納体２１の係止部２１Ｃに対して係止するように拡張された拡張部２２Ｃが形成されている。収納体２１及び回転体２２の外観は、第１の実施の形態と同様である。
【００１９】
針体２３は、針部２３Ａと、針部２３Ａの一端側に配設され、外周面に螺旋状の凹凸部２３Ｂが形成された移動部２３Ｃと、この移動部２３Ｃに一端側が配設され、他端側が回転体２２、具体的には中継器２２Ｂに対して配設された螺旋状のばね体２３Ｄとを有している。移動部２３Ｃの凹凸部２３Ｂは、収納部２１Ａの凹凸部２１Ｂに対応して嵌合するように形成されている。針体２３は、例えば、回転体２２を収納体２１に対して相対的に回転させることにより、回転体２２の回転がばね体２３Ｄを介して移動部２３Ｃに伝わり、移動部２３Ｃが収納部２１Ａの凹凸部２１Ｂに沿って移動し、針部２３Ａが収納部２１Ａから突出し又は収納部１１Ａに収納されるようになっている。
【００２０】
なお、収納部２１Ａの回転体２２と反対側の端部には、製造の際に移動部２３Ｃを挿入しやすいように、螺旋状の凹凸部２１Ｂが形成されていないことが好ましい。また、収納部２１の回転体２２と反対側には、移動部２３Ｃが収納部２１Ａから突出することを防止するための停止部２１Ｃが設けられていることが好ましい。停止部２１Ｃは、例えば、針部２３Ａが通過する孔が設けられたリング状に形成されており、収納部２１Ａの内周面に設けられた配設溝に配設されている。なお、停止部２１Ｃは、例えば、収納部２１Ａに対応して収納体２１の外側に配設するようにしてもよい。
【００２１】
この画鋲２０では、使用に際し、例えば、収納体２１を固定し、回転体２２を収納体２１に対して相対的に一方向に回転させる。これにより、ばね体２３Ｄが回転体２２の回転に従って回転し、移動部２３Ｃが収納部２１Ａの凹凸部２１Ｂに沿って回転しながら回転体２２と反対側に向かって移動し、図５に示したように、針部２３Ａが収納部２１Ａから突出する。その際、ばね体２３Ｄは、移動部２３Ｃの移動に合わせて伸長する。
【００２２】
使用しないときには、例えば、収納体２１を固定し、回転体２２を収納体２１に対して相対的に逆方向に回転させる。これにより、ばね体２３Ｄが回転体２２の回転に従って回転し、移動部２３Ｃが収納部２１Ａの凹凸部２１Ｂに沿って回転しながら回転体２２に向かって移動し、図４に示したように、針部２３Ａが収納部２１Ａに収納される。その際、ばね体２３Ｄは、移動部２３Ｃの移動に合わせて縮む。
【００２３】
（第３の実施の形態）
図６は、本考案の第３の実施の形態に係る画鋲３０の構成を表すものである。図７は、画鋲３０の動作を説明するものである。この画鋲３０は、収納体３１と、回転体３２と、針体３３とを備えている。
【００２４】
収納体３１は、例えば、内部に円柱状の収納部３１Ａが形成されており、収納部３１Ａの内周面には、螺旋状の凹凸部３１Ｂが形成されている。収納部３１Ａの一方の端部には、内側に向かって突出された係止部３１Ｃが形成されている。回転体３２は、収納体３１に対して相対的に回転可能に配設されており、収納部３１Ａの係止部３１Ｃが形成された側に対応して配置されている。回転体３２は、例えば、収納体３１の外側に配置された把持部３２Ａと、この把持部３２Ａに一端部が配設され、他端部が収納部３１Ａに収納された中継器３２Ｂとを有している。把持部３２Ａの収納体３１の側には、例えば、中継器３２Ｂを配設するための配設穴が設けられており、把持部３２Ａと中継器３２Ｂとは接着剤で接合されている。中継器３２Ｂの他端部には、収納体３１の係止部３１Ｃに対して係止するように拡張された拡張部３２Ｃが形成されている。収納体３１及び回転体３２の外観は、第１の実施の形態と同様である。
【００２５】
針体３３は、針部３３Ａと、針部３３Ａの一端側に配設され、外周面に螺旋状の凹凸部３３Ｂが形成された移動部３３Ｃと、一端部が回転体３２、具体的には中継器３２Ｂに配設され、回転体３２の回転を移動部３３Ｃに伝達するための複数の棒状部材３３Ｄとを有している。移動部３３Ｃの凹凸部３３Ｂは、収納部３１Ａの凹凸部３１Ｂに対応して嵌合するように形成されている。移動部３３Ｃには、各棒状部材３３Ｄを貫通させるための複数の貫通孔３３Ｅが設けられている。各棒状部材３３Ｄは、一端部が中継器３２Ｂに固定されており、移動部３３Ｃを貫通して回転体３２と反対側に伸長されている。各棒状部材３３Ｄと各貫通孔３３Ｅとは固定されておらず、自由に移動可能とされている。各棒状部材３３Ｄの他端部には、移動体３３Ｃが収納部３１Ａから突出することを防止するために、各貫通孔３３Ｅよりも大きさが大きな停止部３３Ｆが設けられている。針体３３は、例えば、回転体３２を収納体３１に対して相対的に回転させることにより、回転体３２と共に各棒状部材３３Ｄが回転し、移動部３３Ｃが収納部３１Ａの凹凸部３１Ｂに沿って回転しながら移動し、針部３３Ａが収納部３１Ａから突出し又は収納部３１Ａに収納されるようになっている。
【００２６】
この画鋲３０では、使用に際し、例えば、収納体３１を固定し、回転体３２を収納体３１に対して相対的に一方向に回転させる。これにより、各棒状部材３３Ｄが回転体３２と共に回転し、移動部３３Ｃを回転させる。移動部３３Ｃは収納部３１Ａの凹凸部３１Ｂに沿って回転しながら回転体３２と反対側に向かって移動し、図７に示したように、針部３３Ａが収納部３１Ａから突出する。
【００２７】
使用しないときには、例えば、収納体３１を固定し、回転体３２を収納体３１に対して相対的に逆方向に回転させる。これにより、各棒状部材３３Ｄが回転体２２と共に回転し、移動部３３Ｃを回転させる。移動部３３Ｃは収納部３１Ａの凹凸部３１Ｂに沿って回転しながら回転体３２に向かって移動し、図６に示したように、針部３３Ａが収納部３１Ａに収納される。
【００２８】
このように本実施の形態によれば、回転体３２を相対的に回転させることにより、針体３３が収納部３１Ａから突出し、又は、収納部３１Ａに収納されるようにしたので、第１の実施の形態と同様に、針体３３により怪我をする機会を減少させることができ、安全性を向上させることができると共に、保管・収納も容易とすることができる。また、収納体３１と回転体３２とを備えるようにしたので、指で容易につまむことができ、指で挟んで容易に取り外しをすることができると共に、落としたときに容易に見つけることができる。加えて、収納体３１と回転体３２の外観を雪だるまなどの各種形にデザインすることにより、見た目を可愛らしく楽しくすることもできる。
【００２９】
以上、実施の形態を挙げて本考案を説明したが、本考案は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００３０】
画鋲として使用することができる
【符号の説明】
【００３１】
１０…画鋲、１１…収納体、１１Ａ…収納部、１１Ｂ…溝、１１Ｃ…係止部、１２…回転体、１２Ａ…把持部、１２Ｂ…中継器、１２Ｃ…拡張部、１３…針体、１３Ａ…針部、１３Ｂ…ばね体、２０…画鋲、２１…収納体、２１Ａ…収納部、２１Ｂ…凹凸部、２１Ｃ…係止部、２１Ｄ…停止部、２２…回転体、２２Ａ…把持部、２２Ｂ…中継器、２２Ｃ…拡張部、２３…針体、２３Ａ…針部、２３Ｂ…凹凸部、２３Ｃ…移動部、２３Ｄ…ばね体、３０…画鋲、３１…収納体、３１Ａ…収納部、３１Ｂ…凹凸部、３１Ｃ…係止部、３２…回転体、３２Ａ…把持部、３２Ｂ…中継器、３２Ｃ…拡張部、３３…針体、３３Ａ…針部、３３Ｂ…凹凸部、３３Ｃ…移動部、３３Ｄ…棒状部材、３３Ｅ…貫通孔、３３Ｆ…停止部
【図１】
0003184076.tif 000003
【図２】
0003184076.tif 000004
【図３】
0003184076.tif 000005
【図４】
0003184076.tif 000006
【図５】
0003184076.tif 000007
【図６】
0003184076.tif 000008
【図７】
0003184076.tif 000009